(57)【特許請求の範囲】
【請求項１】
自動分析装置用の培養デバイスであって、
反応容器用の幾つかの受取り位置を有する培養ユニットと、
１つまたはそれ以上の反応容器用の第１の把持デバイスを有し、該第１の把持デバイスを第１のアクセス領域内に移動させるように構成された第１の移送アームと、
１つまたはそれ以上の反応容器用の第２の把持デバイスを有し、該第２の把持デバイスを第２のアクセス領域内に移動させるように構成された第２の移送アームと
を含み、
ここで、第１および第２のアクセス領域は重なり合わず、培養ユニットは、受取り位置それぞれが第１のアクセス領域にあるように、第１の位置に移動させることができるように、そして受取り位置それぞれが第２のアクセス領域にあるように、第２の位置に移動させることができるように、取り付けられる、
前記培養デバイス。
【請求項２】
第１および第２の移送アームは、第１および第２の移送アーム間の相互接触が防止されるようにそれらの動きを制限される、請求項１に記載の培養デバイス。
【請求項３】
さらに、第１および第２の移送アーム間の相互接触が防止されるように、第１および第２の移送アームの動きを制限するために、第１および第２の移送アームの間に構成されたストッパを含む、請求項２に記載の培養デバイス。
【請求項４】
第１および第２のアクセス領域は同じ水平面内にあり、培養ユニットは、水平に移動可能である、請求項１に記載の培養デバイス。
【請求項５】
受取り位置の温度を制御するために、加熱および／または冷却機器をさらに含む、請求項１に記載の培養デバイス。
【請求項６】
対応するソフトウェアを実行する制御ユニット、および請求項１に記載の培養デバイスを含む、自動分析装置。
【請求項７】
さらに、反応混合物の第１の物理的特性を測定するための第１のユニットと、反応混合物の第２の物理的特性を測定するための第２のユニットとを含む、請求項６に記載の自動分析装置。
【請求項８】
反応混合物の物理的特性を測定するための第１および第２のユニットは、反応混合物の少なくとも１つの光学的特性を測定するようにそれぞれ構成される、請求項７に記載の自動分析装置。
【請求項９】
反応混合物の物理的特性を測定するための第１および第２のユニットは、光度計、比濁計、濁度計、および照度計からなる群から選択される、請求項８に記載の自動分析装置。
【請求項１０】
自動分析装置用の培養デバイス内の１つまたはそれ以上の反応容器を自動的に移動させるための方法であって、該方法は、
反応容器用の幾つかの受取り位置を有する培養ユニットを提供すること；、
１つまたはそれ以上の反応容器用の第１の把持デバイスを有し、該第１の把持デバイスを第１のアクセス領域内に移動させるように第１の移送アームを移動させること；
１つまたはそれ以上の反応容器用の第２の把持デバイスを有し、該第２の把持デバイスを第２のアクセス領域内に移動させるように第２の移送アームを移動させること、ここで、第１および第２のアクセス領域は重なり合わない；
培養ユニットを、受取り位置のそれぞれが第１のアクセス領域にあるように、第１の位置に移動させること；および
培養ユニットを、受取り位置のそれぞれが第２のアクセス領域にあるように、第２の位置に移動させること；
を含む、
前記方法。
【請求項１１】
さらに、第１および第２の移送アームの移動を、第１および第２の移送アームの間の相互接触が防止されるように制限することを含む、請求項１０に記載の方法。
【請求項１２】
第１および第２の移送アームの移動の制限が、第１および第２の移送アームの間の相互接触を防止するように、その移動を制限するストッパを第１および第２の移送アームの間に提供することを含む、請求項１１に記載の方法。
【請求項１３】
第１および第２のアクセス領域は同じ水平面内にあり、該方法はさらに培養ユニットを水平に移動させることを含む、請求項１０に記載の方法。
【発明の詳細な説明】
【技術分野】
【０００１】
本発明は、反応容器用の幾つかの受取り位置を有する培養ユニットと、少なくとも２つの移送アームとを含み、各移送アームは、１つまたはそれ以上の反応容器用の把持デバイスを含む、自動分析装置用の培養デバイスに関する。
【背景技術】
【０００２】
今日、体液試料または他の生物学的試料中の検体を決定（ｄｅｔｅｒｍｉｎａｔｉｏｎ）するための多くの検出および分析方法が、自動分析装置、またいわゆる体外診断システムにおいて自動で数多く行われている。このために、そのような分析装置は、従来、対応する分析および測定ステーションと、様々な移送機器とを含み、そのような移送機器としては、例えば、試料容器、試薬容器、および反応容器用のコンベアベルト、輸送カルーセル、または把持機器を有する移送アーム、さらには液体の移送用のピペット機器がある。さらに、これらの装置は制御ユニットを含み、制御ユニットは、対応するソフトウェアによって、所望の分析のための作業工程を実質的に個別に計画して実行することが可能である。
【０００３】
自動で動作するそのような分析装置で使用される分析方法の多くは、光学法に基づく。臨床的に重要なパラメータ、例えば検体の濃度または活性の決定は、しばしば、反応容器（測定セルでもよい）内で試料の一部を１つまたはそれ以上のテスト試薬と混合させ、それにより生物学的反応または特定の結合反応を開始し、この反応が、反応混合物の光学的または他の物理的特性の測定可能な変化を生じることによって行われる。
【０００４】
従来、自動ピペット機器によって試料容器から試料アリコート（ｓａｍｐｌｅ  ａｌｉｑｕｏｔ）が取られ、反応容器内に移送される。反応混合物は、１つまたはそれ以上の試薬の添加によって調製される。
【０００５】
次いで、自動分析装置の内部で、反応容器は、典型的には移送アームによって様々な分析ステーションに移動される。これらの移送アームは、反応容器を確実に取り上げるおよび設置する（ｄｅｐｏｓｉｔ）ための把持デバイスを含み、運動機構（ｍｏｖｅｍｅｎｔ  ｍｅｃｈａｎｉｃｓ）の範囲によって定義される（および場合により、制御またはソフトウェア側でさらに制限される）アクセス領域を有し、そのアクセス領域内で反応容器を取り上げるおよび設置することができる。
【０００６】
試料と試薬が反応容器内で混合された後、分析に使用される多くの検出反応は、いくらかの培養時間を必要とし、これは数分に及ぶことがある。この培養時間中、試薬成分、例えば酵素、酵素基質、または抗体が、検出対象の検体と反応する。多くの検出反応は温度に依存するので、通常、反応混合物の培養は培養ユニット内で行われ、培養ユニットは、反応容器を一時的に収納するための複数の受取り位置を有し、その場合、受取り位置の壁は、加熱／冷却によって所定の制御された温度で保つことができる。
【０００７】
この場合、培養ユニットは、自動分析装置の培養デバイス内に配置され、培養デバイスはさらに、培養ユニットの受取り位置に反応容器を設置するためおよび受取り位置から反応容器を取り上げるための上述した移送アームの少なくとも１つを含む。反応容器は、移送アームによって、例えば空の状態で、反応容器ストック（ｒｅａｃｔｉｏｎ  ｖｅｓｓｅｌ  ｓｔｏｃｋ）から培養ユニット内に移送されることがあり、または一部充填された状態で、例えば試料液体のみを含んで、分析装置の対応するステーションから培養ユニット内に移送されることがあり、または完全に充填された状態で、反応混合物を全て含んで、分析装置の対応するステーションから培養ユニット内に移送されることがある。さらに、培養時間後、移送アームによって反応容器を測定ユニット内に移送させる必要がある。自動分析装置のスループットが増加されるように意図される場合、すなわち、より多くの試料がより短時間で分析されるように意図される場合、培養デバイスはまた、複数の移送アーム、すなわち少なくとも１つの第２の移送アームを含むことがあり、この移送アームは、培養ユニットにアクセスすることができる。しかし、この場合、特定の状況下で移送アームの衝突が生じ得るという問題が生じ、損壊および動作の中断を避けるためにこれは絶対に回避しなければならない。そのような衝突の回避は、ソフトウェア技術で実施するのは比較的複雑であることが判明している：ソフトウェア制御は、常に、移送アームのどれが現在どの位置にあるかを調整しなければならず、適切であれば、それぞれの移送アームを移動させて退けて、別の移送アームがアクセスできるようにしなければならない。
【発明の概要】
【発明が解決しようとする課題】
【０００８】
したがって、本発明の目的は、自動分析装置のより大きな試料スループットを可能にし、それと同時に摩擦のない信頼性の高い動作を可能にする培養デバイス、およびそのような培養デバイス内に１つまたはそれ以上の反応容器を移動させるための方法を提供することである。
【課題を解決するための手段】
【０００９】
本発明によれば、この目的は、培養デバイスに関して、培養ユニットの内外への反応容器の移送のための２つの移送アームが提供され、２つの移送アームのアクセス領域が重なり合わず、すなわち互いに離れており、培養ユニットが、受取り位置の少なくとも１つが２つの移送アームの２つのアクセス領域に達するように、例えば送達レールまたはキャリッジ上で移動させることができるように取り付けられることによって実現される。次いで、移送アームのアクセス要求時、培養ユニットは、少なくともアクセスが意図される対応する受取り位置がそれぞれアクセス中の移送アームのアクセス領域内に入るように移動する。意外にも、変位可能な培養ユニットに伴う追加の機械的出費は、制御ソフトウェアのかなりの単純化によって補って余りあり、さらに、かなり信頼性が高くなることが判明した。
【００１０】
したがって、本発明は、
−  反応容器用の幾つかの受取り位置を有する培養ユニットと、
−  １つまたはそれ以上の反応容器用の把持デバイスを有し、該把持デバイスを第１のアクセス領域内に移動させるように構成された第１の移送アームと、
−  １つまたはそれ以上の反応容器用の把持デバイスを有し、該把持デバイスを第２のアクセス領域内に移動させるように構成された第２の移送アームと
を含み、
ここで、第１および第２のアクセス領域は重なり合わず、培養ユニットは、受取り位置の少なくとも１つが第１および第２のアクセス領域に達するように、移動させることができるように取り付けられる、
自動分析装置用の培養デバイスに関する。
【００１１】
１つまたはそれ以上の反応容器を自動的に移動させるための方法に関して、この目的は、第１および第２のアクセス領域が重なり合わず、移送アームの１つのアクセス時に、培養ユニットが、受取部（ｒｅｃｅｐｔａｃｌｅ）の少なくとも１つがアクセス中の移送アームのそれぞれのアクセス領域に達するように移動されることによって実現される。
【００１２】
したがって、本発明は、さらに、上述した培養デバイス内の１つまたはそれ以上の反応容器を自動的に移動させるための方法であって、培養ユニットは、受取り位置の少なくとも１つがアクセス中の移送アームのそれぞれのアクセス領域に達するように移動される方法に関する。
【００１３】
有利には、培養ユニットは、各受取り位置が第１および第２のアクセス領域に達するように、移動させることができるように取り付けられる。すなわち、培養ユニットの移動能力は、各移送アームが各受取り位置にアクセスすることができる程度まで拡張される。これは、培養デバイスにおける自動化された作業プロセスに関して可能な最大の自由度を与える。なぜなら、反応容器用の任意の受取り位置を培養のために使用することができ、個々の移送アームの制限範囲を考慮に入れる必要がないからである。
【００１４】
培養ユニットが、第１の位置に達するように移動させることができるように取り付けられ、第１の位置で各受取り位置が第１のアクセス領域内に位置し、および／また第２の位置に達するように移動させることができるように取り付けられ、第２の位置で各受取り位置が第２のアクセス領域内に位置することによって、プロセスをさらに単純化することができる。この方法に関して、培養ユニットは、この場合、有利には、各受取部がアクセス中の移送アームのそれぞれのアクセス領域に達するような位置に移動される。
【００１５】
そのような構成では、１つの移送アームおよびそのそれぞれのアクセス領域は、培養ユニットの正確に１つの位置を割り当てられる。移送アームのアクセス要求時、培養ユニットは、アクセス中の移送アームに割り当てられた位置に移動され、この場合、移送アームの培養ユニットのアクセス位置のどこがアクセスされることを意図されるかを考慮に入れる必要はない。これは、培養ユニットのソフトウェア側での制御を単純化し、これに関し、ここで、移送アーム当たり１つの位置だけがそれぞれ指定される。培養ユニットはこれらの位置の間で移動し、それぞれの位置への移動のためには、アクセス中の移送アームから培養ユニットに対してソフトウェア側でただ１回のアクセス要求があればよい。
【００１６】
この培養デバイスおよびこの方法の別の有利な構成では、移送アームは、相互接触が防止されるようにそれらの動きを制限される。これは、ソフトウェア側で行われることがあり、または、より有利には、幾何学的に接触が可能でないように技術的ハードウェア構成によって行われることがある。これは、移送アームの移動経路の機械的な制限によって行われることがある。そのような手段は、移送アームの接触を特に高い信頼性で防止し、自動分析装置の特に信頼性が高く障害のない動作を保証する。
【００１７】
本発明による培養デバイスの１つの好ましい実施形態では、第１および第２のアクセス領域は同じ水平面内に位置し、培養ユニットは、水平に、例えば水平レール上またはキャリッジ上で移動させることができるように取り付けられる。本発明による方法に関して、培養ユニットは、この構成で水平に移動される。
【００１８】
好ましくは、受取り位置は、熱的に調整することができる。このために、培養ユニットは、対応する加熱および／または冷却機器を含む。
【００１９】
さらに、本発明は、上述した培養デバイスを含み、したがって特に信頼性が高く障害のない動作を行う自動分析装置に関する。
【００２０】
好ましい自動分析装置は、反応混合物の第１の物理的特性を測定するための第１のユニットと、反応混合物の第２の物理的特性を測定するための第２のユニットとを含み、すなわち２つの測定ステーションを含む。有利には、２つの測定ステーションは、反応混合物の少なくとも１つの光学的特性を測定するようにそれぞれ構成される。反応混合物の物理的特性を測定するための第１および第２のユニットは、例えば、光度計、比濁計、濁度計、および照度計からなる群から選択することができる。
【００２１】
「光度計」は、少なくとも１つの光源と少なくとも１つの光検出器とを含む測定ユニットであって、それらの光源および光検出器が、試料または反応混合物の特定の波長の光の吸光度を測定することを可能にするように構成された測定ユニットを意味するものと意図される。典型的には、光源によって放出される光の波長は、試料中の検出対象の物質によって、例えば反応混合物中の検体依存反応（ａｎａｌｙｔｅ−ｄｅｐｅｎｄｅｎｔ  ｒｅａｃｔｉｏｎ）の結果生成される発色団によって吸収されるように選択される。
【００２２】
「濁度計」は、少なくとも１つの光源と少なくとも１つの光検出器とを含む測定ユニットであって、試料または反応混合物での光の吸光度を測定することを可能にするように構成された測定ユニットを意味するものと意図される。典型的には、光源によって放出される光の波長は、反応混合物中の検体依存反応の結果生成される、試料中の検出対象の高分子、例えば粒子凝集体（ｐａｒｔｉｃｌｅ  ａｇｇｒｅｇａｔｅｓ）によって吸収されるように選択される。
【００２３】
「比濁計」は、少なくとも１つの光源と少なくとも１つの光検出器とを含む測定ユニットであって、試料または反応混合物での光の吸光度を測定することを可能にするように構成された測定ユニットを意味するものと意図される。典型的には、光源と光検出器の配置は、反応混合物中の検体依存反応の結果生成される試料中の検出対象の高分子、例えば粒子凝集体によって散乱される散乱光を測定することができるように選択される。
【００２４】
「照度計」は、少なくとも１つの光検出器、通常は光電子倍増管を含み、試料または反応混合物からの光の放出を測定することを可能にするように構成された測定ユニットを意味するものと意図される。典型的には、光検出器は、試料中の検出対象の物質によって、例えば反応混合物中の検体依存反応の結果生成される発光または蛍光信号基（ｌｕｍｉｎｅｓｃｅｎｔ  ｏｒ  ｆｌｕｏｒｅｓｃｅｎｔ  ｓｉｇｎａｌ  ｇｒｏｕｐ）によって放出される生物発光、化学発光、および／または蛍光をそれにより測定することができるように選択される。
【００２５】
本発明によって実現される利点は、特に、アクセス領域間で移動させることができる培養ユニットと共に、移送アームのアクセス領域を離隔することによって、移送アームの接触がソフトウェア側で特に容易に回避されることである。信頼性が高く障害のない培養デバイスの動作がそれによって可能になり、自動分析装置の特に高いスループットを実現することができる。
【００２６】
本発明を、図面を用いてより詳細に説明する。
【図面の簡単な説明】
【００２７】
【図１】自動分析装置の概略図である。
【図２】自動分析装置の培養デバイスの概略平面図である。
【図３】培養デバイスの概略正面図である。
【発明を実施するための形態】
【００２８】
全ての図において、同じ部品には同じ参照符号が付されている。
【００２９】
図１は、自動分析装置１の概略図を示し、自動分析装置１内には、幾つかの構成要素が収容されている。この場合、自動分析装置１の基本機能を説明するために最も重要な構成要素のみが非常に単純な形で表されており、それにより、各構成要素の個々の部品を詳細には表していない。
【００３０】
自動分析装置１は、血液または他の体液の多様な分析を全自動で行うように構成され、分析のためにユーザによる操作は必要とされない。むしろ、ユーザによる操作は、例えば反応容器または試薬を再充填する必要があるときなど、メンテナンスまたは修理および再充填作業に限定される。
【００３１】
試料は、送達レール２内でキャリッジ（詳細には図示せず）上で自動分析装置１に送達される。この場合には、各試料に関して実施すべき分析に関する情報は、例えば試料容器に貼付されたバーコードによって通信されることがあり、このバーコードは自動分析装置１で読み取られる。ピペットデバイス４内の試料容器から、ピペット針（ｐｉｐｅｔｔｉｎｇ  ｎｅｅｄｌｅ）（詳細には図示せず）によってアリコートが取られる。
【００３２】
アリコートも同様に反応容器（詳細には図示せず）に送達され、反応容器内で、多様な測定ユニット６、例えば光度計、比濁計、濁度計、または照度計などによって実際の分析が行われる。反応容器は、反応容器収納部（ｒｅａｃｔｉｏｎ  ｖｅｓｓｅｌ  ｓｔｏｒｅ）８から取られる。さらに、実施すべき分析に応じて必要とされるさらなる試薬が、さらなるピペット針（図示せず）によって試薬収納部１０からそれぞれの反応容器に送達されることがある。
【００３３】
自動分析装置内部でのキュベットの輸送は、輸送デバイス（ここでは詳細には図示せず）、例えば移送アームによって行われ、この輸送デバイスは、多様な空間方向に移動させることができ、反応容器を取り上げるための把持デバイスを含む。プロセス全体が、制御デバイス、例えばデータライン１２を介して接続されたコンピュータ１４によって制御され、これは、自動分析装置１およびその構成要素内部の複数のさらなる電子回路およびマイクロプロセッサ（詳細には図示せず）によって支援される。
【００３４】
試料と試薬が反応容器内で混合された後、分析に使用される検出反応の多くは、特定の反応時間が経過した後に、得られた反応生成物の特定の特性を測定することに基づく。この反応時間中、特定の酵素や抗体などが、決定対象の検体と反応する。反応時間中、反応容器は、この場合には自動分析装置１の培養デバイス１６内に取り付けられ、培養デバイス１６は、図２および図３により詳細に概略的に示されている。
【００３５】
培養デバイス１６は、図２では平面図で、図３では正面図で示されている。図２および図３の説明のために、以下では空間方向を使用する。それらの空間方向は、２つの図での視線方向にそれぞれ合わせて示されている。図２で、空間方向ｘは左から右に延び、空間方向ｙは下から上に延び、空間方向ｚは図面の平面から出る。図３は、その視点をｘ軸の周りで９０度回転されている。したがって、図３では、正面図であるので、空間方向ｘはやはり左から右に延び、空間方向ｙは図面の平面内に延び、空間方向ｚは下から上に延びる。
【００３６】
培養デバイス１６の底部１８に、互いに並べて配置された２つのレール２０が配置され、これらのレール２０は、空間方向ｙでの培養デバイス１６の広がりのほぼ全体にわたって直線状に延びる。レール２０上に培養ユニット２２が配置され、培養ユニット２２は、実質的に長方形ブロックとして構成され、空間方向ｙで、すなわち水平方向でレール２０に沿って駆動装置（詳細には図示せず）によって移動させることができる。
【００３７】
多く検出反応は温度に依存しているので、培養ユニット２２は、培養時間中に反応容器を一時的に収納するための複数の受取り位置２４を有し、受取り位置の壁は、加熱／冷却によって所定の制御された温度で保つことができる。受取り位置２４は、レール２０とは反対側の培養ユニット２２の面に、規則的な幾何学パターンで円筒形開口として導入される。このようにして、複数の反応容器を同時に取り付けることができる。図２では、明瞭にするために、同一の受取り位置２４の１つのみが参照番号を付されている。
【００３８】
培養デバイス１６は、さらに、第１の移送アーム２６を含む。移送アーム２６は、空間方向ｙに延びる高架レール（ｅｌｅｖａｔｅｄ  ｒａｉｌ）２８に取り付けられ、それにより、移送アーム２６は、第２のレール３０と共に空間方向ｙに移動させることができる。第２のレール３０は、第１のレール２８に垂直に、空間方向ｘに延びる。レール２８、３０の長さは、移送アーム２６が培養デバイス１６の外部の所望のステーション（ここでは詳細には図示しない）、例えば反応容器収納部８または測定ユニット６に達することができるように選択される。空間方向ｚで移動させることができ、反応容器を取り上げるおよび設置することができる把持器（ｇｒｉｐｐｅｒ）３４を含む把持デバイス３２が、空間方向ｘで移動させることができるように第２のレール３０に取り付けられる。レール２８上での空間方向ｙでの、およびレール３０上での空間方向ｘでの（駆動装置（図示せず）によって）制御可能な移動性（ｍｏｂｉｌｉｔｙ）が、ｘ−ｙ平面内で第１の移送アーム２６の長方形アクセス領域３６を生み出し、このアクセス領域３６内で、把持器３４は、反応容器を取り上げるおよび設置することができる。図２の図示において、培養ユニット２２は、第１の移送アーム２６のアクセス領域３６内に完全に配置され、すなわち全ての受取り位置２４がアクセス領域３６内に配置される。
【００３９】
自動分析装置１は、複数の分析の並列処理を行うように構成される。自動分析装置１のスループットを高めるために、培養デバイス１６は、第２の移送アーム３８を含む。第２の移送アーム３８は、第１の移送アーム２６と同様に形成され、すなわち第１のレール２８上に配置され、第１のレール２８に垂直に延びる第２のレール４０上に配置され、把持器４４を有する把持デバイス４２を具備される。レール４０の長さも、移送アーム３８が培養デバイス１６の外部の所望のステーション（ここでは詳細には図示せず）に達するように選択される。第２の移送アーム３８の移動性は、第１の移送アーム２６に関する移動性と同様に構成される；したがって、同じ幾何学的広がりが、第２の移送アーム３８の全く同じ大きさの長方形アクセス領域４６をもたらす。
【００４０】
特定の状況下で移送アームの衝突が生じ得るという問題を回避するために、移送アーム２６、３８は、それらのそれぞれのアクセス領域３６、４６同士が重ならないように配置される。特に、例示的実施形態では、移送アーム２６、３８は、同じレール２８上に配置されるが、ストッパ４８によって空間方向ｙで互いに離隔される。それに対応して、アクセス領域３６、４６は、空間方向ｙで互いに離隔される。したがって、２つの移送アーム２６、３８の接触は、（ここで提供されるストッパ４８の対応する広がりによって）幾何学的に防止される。他の例示的実施形態でも、アクセス領域の離隔がやはり行われることがあり、駆動装置（詳細には図示せず）の機械的な制限によって、または制御ソフトウェア側で、移送アーム２６、３８の接触が防止されることがある。
【００４１】
２つの移送アーム２６、３８が培養ユニット２２にアクセスすることができるように、既述のように、培養ユニット２２は、レール２０上でｙ方向で、すなわち水平に可動であるように構成される。より正確には、例示的実施形態において、培養ユニット２２に関する２つの位置が提供される：第１の位置は、図２に表されており、すなわち第１の移送アーム２６のアクセス領域３６内にあり、したがって全ての受取り位置２８がアクセス領域３６内にある。同様に、第２の位置が提供され、第２の位置では、全ての受取り位置２８が、第２の移送アーム３８のアクセス領域４６内に配置される。
【００４２】
ここでは、制御側で、生じ得る衝突に関する移送アーム２６、３８の位置の監視がもはや必要なく、このことは、制御ソフトウェアをかなり単純化する。移送アーム２６、３８が培養ユニット２２にアクセスする必要が生じるとすぐに、まだそこに配置されていない場合には、培養ユニット２２は、アクセス中の移送アーム２６、３８の下の対応する位置に移動される。
【００４３】
したがって、培養デバイス１６の上記の実施形態は、確実な動作を可能し、それと同時に培養デバイス１６の単純化された駆動も可能にする。
【符号の説明】
【００４４】
１  自動分析装置
２  送達レール
４  ピペットデバイス
６  測定ユニット
８  反応容器収納部
１０  試薬収納部
１２  データライン
１４  コンピュータ
１６  培養デバイス
１８  底部
２０  レール
２２  培養ユニット
２４  受取り位置
２６  移送アーム
２８、３０  レール
３２  把持デバイス
３４  把持器
３６  アクセス領域
３８  移送アーム
４０  レール
４２  把持デバイス
４４  把持器
４６  アクセス領域
４８  ストッパ
ｘ、ｙ、ｚ  空間方向
【図１】
0006489982.tif 000002
【図２】
0006489982.tif 000003
【図３】
0006489982.tif 000004